(57)【要約】      （修正有）【課題】端子台の受け皿部でアルミ線を使用したコイル導線と接続端子に封止剤を塗布した信頼性の良い誘導加熱用の加熱コイルを提供することができる。【解決手段】被加熱物を誘導加熱するアルミ線から成る加熱コイルと、加熱コイルの両端側に電力の供給を受けるための接続端子３と、加熱コイルを固定するコイルベース４と、コイルベース４に接続端子３を係止する端子台５とを備え、接続端子３には、加熱コイルから伸びたコイル導線２を接続する収納部２１を設け、端子台５には、収納部２１の周囲に立ち上がる壁部５ｃで構成する受け皿部５ａを設け、受け皿部５ａに封止剤Ｐを塗布したものである。【選択図】図９
2017073264.tif 000002
【特許請求の範囲】
【請求項１】
被加熱物を誘導加熱するアルミ線から成る加熱コイルと、
該加熱コイルの両端側に電力の供給を受けるための接続端子と、
前記加熱コイルを固定するコイルベースと、
該コイルベースに前記接続端子を係止する端子台とを備え、
前記接続端子には、前記加熱コイルから伸びたコイル導線を接続する収納部を設け、
前記端子台には、前記収納部の周囲に立ち上がる壁部で構成する受け皿部を設け、
該受け皿部に封止剤を塗布したことを特徴とする誘導加熱用の加熱コイル。
【発明の詳細な説明】
【技術分野】
【０００１】
本発明は、誘導加熱調理器に用いる誘導加熱用の加熱コイルに関するものである。
【背景技術】
【０００２】
従来、この種の誘導加熱調理器の誘導加熱用の加熱コイルでは、銅線を芯線として外層にエナメル絶縁を施した極細の素線を複数本拠った撚り線に、電力を供給するための接続部として黄銅やリン青銅を主成分とする銅系金属板を使用した接続端子を接続し、撚り線と接続端子の電気的接続は、撚り線の絶縁被膜を高温で溶解して接続する溶接構成とするのが一般的である。
【０００３】
しかしながら、前述した誘導加熱用コイルの線材を銅線からアルミ線に変更した場合、銅の融点（約１０００℃）に対してアルミニウムの融点が約６６０℃と低くなり、アルミ線の融点と絶縁被覆を破壊する温度との差が大きく取れないため、特許文献１では、接続端子に接続するアルミ線の加圧部を上面と下面の二面で抑え、上面と下面からなる収納部が均一の厚さとなることで、加熱時に熱の分布が均一となり、部分的な高温部が発生しないことで、アルミ線と接続端子との接続の信頼性を得たものである。
【先行技術文献】
【特許文献】
【０００４】
【特許文献１】特開２０１３−２５１１６９号公報
【発明の概要】
【発明が解決しようとする課題】
【０００５】
しかしながら、上記した構造においては、接続端子の収納部に固定する被覆を剥がしたアルミ線を封止するために、液状のポッティング剤等を塗布する場合には、端子台に受ける部分がないので、収納部とその周囲のアルミ線から垂れて、硬化するまでに保管する姿勢を保てずに生産性が悪いという課題がある。
【課題を解決するための手段】
【０００６】
本発明は、上記の課題を解決するためになされたものであり、被加熱物を誘導加熱するアルミ線から成る加熱コイルと、該加熱コイルの両端側に電力の供給を受けるための接続端子と、前記加熱コイルを固定するコイルベースと、該コイルベースに前記接続端子を係止する端子台とを備え、前記接続端子には、前記加熱コイルから伸びたコイル導線を接続する収納部を設け、前記端子台には、前記収納部の周囲に立ち上がる壁部で構成する受け皿部を設け、該受け皿部に封止剤を塗布したものである。
【発明の効果】
【０００７】
本発明によれば、端子台の受け皿部でアルミ線を使用したコイル導線と接続端子に封止剤を塗布した信頼性の良い誘導加熱用の加熱コイルを提供することができる。
【図面の簡単な説明】
【０００８】
【図１】一実施例の誘導加熱用の加熱コイルの上面斜視図。
【図２】一実施例の誘導加熱用の加熱コイルのコイル導線の断面図。
【図３】一実施例の誘導加熱用の加熱コイルの接続端子の展開斜視図。
【図４】一実施例の誘導加熱用の加熱コイルの接続端子の斜視図。
【図５】一実施例の誘導加熱用の加熱コイルの接続端子の断面図。
【図６】一実施例の誘導加熱用の加熱コイルの第一の接続方法。
【図７】一実施例の誘導加熱用の加熱コイルの第二の接続方法。
【図８】一実施例の誘導加熱用の加熱コイルの下面斜視図。
【図９】一実施例の誘導加熱用の加熱コイルの端子台の受け皿部、接続端子の加締め部の要部拡大図。
【図１０】一実施例の誘導加熱用の加熱コイルの端子台の受け皿部、接続端子の加締め部の断面図。
【発明を実施するための形態】
【０００９】
以下本発明の一実施例を図面に基づいて詳細に説明する。図１は一実施例を示す誘導加熱用コイルの斜視図、図２は誘導加熱用コイルのコイル導線の断面図を示す。
【００１０】
１は加熱コイルで、鍋などの被加熱物を誘導加熱するものである。２はコイル導線で、絶縁皮膜１３で覆われたアルミニウムを材料としたアルミ線１２から成る直径が略０．２〜０．４ｍｍの素線１１を数十本から数百本程度撚り合わせた撚り線を渦巻状に配置したものである。１４は自己融着被膜で、コイル導線２を渦巻状に巻いた時にコイル導線２を加熱することで隣接するコイル導線２間で接着して加熱コイル１を整形するものである。４はコイルベースで、加熱コイル１を平面状に保持固定するものである。
【００１１】
素線１１の表面に設けられているエナメル層からなる絶縁皮膜１３は、電気的に絶縁性能を有した数ミクロンの膜で構成し、エナメル層の材質は一般的にはポリウレタンやポリアミドやポリイミド等の組成の材質が使用されている。また、その外層には融解温度が約２３０℃程度の自己融着皮膜１４が設けられている。
【００１２】
絶縁皮膜１３の融点と絶縁性能破壊温度についてまとめると、自己融着皮膜１４の溶融温度が約２３０℃で一番低く、次に絶縁皮膜１３の絶縁性能破壊温度が２３０℃から４００℃である。素線１１の溶融温度は約６６０℃である。軟化温度は、素線１１のアルミニウムの２６０℃が一番低い。
【００１３】
次に図３〜図５に基づいて接続端子とコイル導線との接続形態について詳細に説明する。
【００１４】
３は接続端子で、黄銅やリン青銅をプレス加工により形成さ、加熱コイル１の両端に各１個接続され、図示していないインバータ回路より電力の供給を受ける端子である。詳細は、インバータ回路からの電力を供給するケーブル端子をネジで固定するためのネジ穴３ａと、加熱コイル１のコイル導線２を加締めて後述する収納部２１を形成する加締め部３ｂから成り、加締め部３ｂは一端側３２ｂと他端側３２ｃ、そして曲げ部となるＵ字部３２ａとなっている。また、曲げ部（Ｕ字部３２ａ）に切り込み３２ｄを一か所もしくは二か所設けられている（図３は対向する二か所に切り込み３２ｄを設けている）。
【００１５】
接続端子３は、コイル導線２の先端部２ｃより若干内側部を保持する収納部２１を備えている。収納部２１は、収納部２１の厚さ４１を保てるように、接続端子３の一端側３２ｂを収納部２１の内側に折り返し、コイル導線２の素線１１を略二段に整列して囲むように平らに形成（平形状２２）するものである。そして、曲げ部（Ｕ字部３２ａ）に切り込み３２ｄを設けることで、弱い力で、常に同じ位置で曲げられる利点がある。また、曲げ部が弱くなることで、曲げ部（Ｕ字部３２ａ）で折れ難くなり曲げ部をＲ形状に整形し易くなる。さらに、収納部２１を長手方向に平行に形成し易くなり、コイル導線２の素線１１を略二段に囲んで平らに形成され易い。
【００１６】
この接続端子３の厚さは、素線１１の太さ（線径）に応じて異ならせるもので、この厚さは、素線１１を略二段に積み上げた時に固定できる程度の厚さ４１である。具体的に厚さ４１は、素線１１を二段に積み上げた時、二段目は一段目の素線１１間に落ち込み、またコイル導線２を適度な加圧で固定する必要があるので、収納部２１の狭い寸法（厚さ４１）は素線１１の線径の２倍の７０〜９０％とすることで適度な固定が可能となる。
【００１７】
接続端子３の板厚を前記厚さ４１と略同じにして、接続端子３の一端側３２ｂを収納部２１の内側に折り返し、この折り返した端面を基準にしてコイル導線２の素線１１が略２段となるように固定することで、コイル導線２を規定の厚さに包み形成することができる。そのため、コイル導線２の素線１１の太さ（線径）と接続端子３の板厚は密接な関係を持っている。
【００１８】
また、接続端子３の一端側３２ｂを収納部２１の内側に折り返す量は、接続端子３の板厚と略同じとすることで、収納部２１の平たん部外側を、ヒュージング溶接（または抵抗溶接）の電極３３によって保持して電流３１を流した時に、一端部３２の折り返し側に流れる電流３１とＵ字状に曲げられたＵ字部３２ａに略均等に電流３１を流すことができるので発熱の不均衡も無くなる。
【００１９】
さらに、素線１１を略二段にしたコイル導線２を収納部２１で巻くことで、コイル導線２を構成している十本から数百本の素線の全てが収納部２１と接する構成としている。
【００２０】
収納部２１の内側に折り返した一端側３２ｂに対して、他端側３２ｃは一端側３２ｂの外側に存在する構成としている。
【００２１】
次に本実施の形態における接続方法の例を詳細に説明する。
【００２２】
初めに図６を用いて第一の接続方法について説明する。
【００２３】
第一の接続方法は、図６（ａ）に示すように、収納部２１より先端部２ｃを露出したコイル導線２を収納部２１にて固定する。固定は専用の工具を使用しても良いし、ヒュージング溶接（または抵抗溶接）の電極３３で挟むことでも良い。収納部２１は内側に折り返し部となる一端側３２ｂが設けられているので、固定時に専用の型を必要とする事無く、無用な圧力を素線１１に加える事無く、容易に確実に固定することができる。次に（ｂ）に示すように、収納部２１をヒュージング溶接（または抵抗溶接）の電極３３で挟み加圧通電を行い溶接する。次に（ｃ）に示すように、コイル導線２の先端側２ａと収納部２１を挟んだコイル側２ｂの絶縁被膜１３を非接触にて加熱除去したのち、（ｄ）に示すように、コイル導線２の先端側２ａと収納部２１、収納部２１とコイル側２ｂを半田２３付けする構成としている。
【００２４】
絶縁皮膜１３（自己融着被膜１４を含む）の除去方法は、加熱することで剥離する方法や薬品により剥離する方法、機械的（金属ブラシなど）に剥離する方法がある。本実施では特定波長（１０．５〜１０．７μｍ）のレーザー光線を使用して絶縁被膜１３のみを加熱して絶縁皮膜１３を剥離している。そのため、線材となるアルミ線１２を過加熱する事がない。なお、絶縁皮膜１３を取り除いた素線１１の表面には絶縁皮膜１３の溶融物もしくは炭化物が残留するため、エアーブローや機械的（金属ブラシ）剥離を部分的に併用するとよい。
【００２５】
接続端子３の収納部２１においては、前述したように素線１１を略二段の平形状２２で収納部２１に固定することで、コイル導線２を構成している十本から数百本の素線１１の全数が収納部２１に接することになる。コイル導線２の素線１１間の陰に隠れる素線１１は存在しないので、コイル導線２を収納部２１に固定した後に、レーザー光線を使用して絶縁被膜１３を剥離する時も、確実に全数の素線１１の絶縁被膜１３を剥離することが可能となり、素線１１全数と接続端子３の収納部２１を確実に半田２３付けが可能となり、電気的に素線１１全数を接続端子３と接続できる。
【００２６】
また、絶縁被膜１３の除去はレーザー光線の当たる箇所のみ剥離されるため、二段に整列されたコイル導線２の線（一段目）と線（二段目）の合わさった面（レーザー光線の当たらない箇所）は絶縁被膜１３を残し、コイル導線２の先端側２ａの素線１１全数と収納部２１とコイル側２ｂの素線１１全数を半田２３付けしている。また、コイル導線２の線（一段目）と線（二段目）の合わさった面（レーザー光線の当たらない箇所）に絶縁被膜１３を残すことで、後述する封止剤Ｐの塗りにくい部分のアルミの電食を防止することができる。
【００２７】
次に第二の接続方法について図７を用いて説明する。
【００２８】
説明は、第一の接続方法と異なる点のみを説明する。第二の接続方法は、事前に収納部２１に収納されるコイル導線２の先端部２ｃの絶縁皮膜１３を除去（除去方法は第一の接続方法で述べた各方法）した後、接続端子３の収納部２１にコイル導線２を固定（図７（ａ），（ｂ））するものである。固定後はヒュージング溶接または抵抗溶接の電極３３にて収納部２１を加圧形成し（図７（ｃ），（ｄ））、コイル導線２の先端側２ａと収納部２１とコイル側２ｂを半田２３付け（図７（ｅ））する構成としている。
【００２９】
また、図示していないが、接続端子３にコイル導線２を加締めて固定する必要は無く、例えば加締め部３ｂを曲げる前に、加締め部３ｂにコイル導線２の素線１１を一段に並べて、コイル導線２の先端側２ａと収納部２１、収納部２１とコイル側２ｂを半田２３付けした状態でも良く、またその後に加締め部３ｂを曲げて使用しても良い。
【００３０】
図８は一実施例の誘導加熱用コイルの下面斜視図を示すもので、接続端子３はコイルベース４下面の端子台５に係止され、配線部はコイルベース４下面で係止される接続端子３と略同一面上に係止される構成としている。これは、接続端子３の収納部２１及びコイル導線２をヒュージング溶接または抵抗溶接の電極３３による通電、及び絶縁皮膜１３を剥離するときの加熱により絶縁皮膜１３の外周に設けられている自己融着皮膜１４にも、その熱が伝わり素線１１同士を固着する。そのため固着したコイル導線２は硬化した形態となり、配線のための曲げ加工がしにくいため、接続端子３をコイルベース４の下面側にすることで、配線作業が軽減されるとともに、コイル導線２への負荷が減り、固着した素線１１同士が分離する際の絶縁皮膜１３の剥離防止にもなる。また、接続端子３とコイル導線２を電気的に接続する半田２３付け部にも負荷がかからず、安定した電気的な接続を維持することができる。
【００３１】
なお加熱コイル１は、コイルベース４に載置されるとともに接着によりコイルベース４に固定される。コイルベース４には接続端子３を取り付けるための端子台５がコイルベース４の下面に設けている。コイルベース４と端子台５はＰＰＳ樹脂やＰＢＴ樹脂等のモールド加工により一体的に形成されている。
【００３２】
図９は、加熱コイルの端子台の受け皿部、接続端子の加締め部の要部拡大図、図１０は、加熱コイルの端子台の受け皿部、接続端子の加締め部の断面図である。
【００３３】
コイル導線２は、先端の切断面や絶縁被覆１３を剥がして半田２３で覆われていない部分の保護のためにコイル導線２の先端側２ａと接続端子３の収納部２１に封止剤Ｐを塗布して封止する必要が有る。
【００３４】
封止材Ｐによる封止は、コイルベース４に設けられた端子台５に接続端子３を係止した後に行う。
【００３５】
端子台５に係止する接続端子３は、略Ｌ字状の板状の部材からなり、接続端子３の一端側に設けられた収納部２１に接続端子３の略Ｌ字の交点側から一端側の収納部２１に向けてコイル導線２を導き、コイル導線２の先端部２ｃを二段の幅広に整形して収納部２１にて接続し、接続端子３の他端側には加熱コイル１にインバータ回路からの電力を供給するためケーブル端子をネジで固定するためのネジ穴３ａと端子台５に固定するための切欠き部３ｃが設けられている。
【００３６】
そして、この接続端子３を係止する端子台５は、接続端子３より少し大きな略Ｌ字形状を成し、接続端子３の収納部２１を収納できる受け皿部５ａを設け、受け皿部５ａは、接続端子３を保持する底部５ｂと底部５ｂの最低限周囲三辺に立ち上がる連続した壁部５ｃを設け、壁部５ｃは収納部２１よりも高い位置にまで立ち上げて設けている。また、接続端子３を係止するために、接続端子３に設けている切欠き部３ｃから望ませた後、スライドして係止するための鍵部５ｄが設けられている。
【００３７】
接続端子３のスライドする方向は、インバータ回路から電力を供給するケーブル端子をネジで固定するためのネジ穴３ａに近い一端側の片を前記壁部５ｃ側に寄せる方向である。
【００３８】
そうすることで、端子部５に固定した接続端子３の収納部２１に封止剤Ｐを塗布した時、封止剤Ｐは収納部２１に設けられた連続した三辺の壁部５ｃと収納部２１に接続されたコイル導線２によって封止剤Ｐが他に流れるのを防止（図９と図１０を参照）している。特に、接続端子３の他端側にあるインバータ回路から電力を供給するケーブル端子を固定するネジ穴３ａ側に封止剤Ｐが流れ出さないように、ネジ穴３ａに近い一端側の片を壁部５ｃ側に寄せることで、寄せた壁部５ｃと撚り線からなるコイル導線２が略連続した壁部を形成することによって封止剤Ｐを受け皿部５ａ内に止めている。
【００３９】
特に、収納部２１にて固定されたコイル導線２の被覆が剥がれて半田２３が覆っていない部分にまで封止剤Ｐが浸透するように、ここでは封止剤Ｐにシリコーン系の接着剤を用い、特性は粘度の低い、流れやすいものを用いる。そのため、前記した封止剤Ｐを受け皿部５ａ内に止める構造が効果的である。
【符号の説明】
【００４０】
１    加熱コイル
２    コイル導線
３    接続端子
３ｃ  切欠き部
４    コイルベース
５    端子台
５ａ  受け皿部
５ｂ  底部
５ｃ  壁部
５ｄ  鍵部
１１  素線
１２  アルミ線
１３  絶縁皮膜
２１  収納部
Ｐ    封止剤
【図１】
2017073264.tif 000003
【図２】
2017073264.tif 000004
【図３】
2017073264.tif 000005
【図４】
2017073264.tif 000006
【図５】
2017073264.tif 000007
【図６】
2017073264.tif 000008
【図７】
2017073264.tif 000009
【図８】
2017073264.tif 000010
【図９】
2017073264.tif 000011
【図１０】
2017073264.tif 000012